(57)【特許請求の範囲】
【請求項１】
照明器具に着脱可能に取り付けられる光源ユニットにおいて、
四角形をなす板状のユニット板状本体部と、
前記ユニット板状本体部の一方の面に配置される光源モジュールと、
前記一方の面の反対側の他方の面に配置され、前記照明器具に配置された相手部品と係合する複数の光源側係合部と
を備え、
前記複数の光源側係合部は、
前記照明器具への取り付け完了前から取り付け完了にわたって、係合している前記相手部品から弾性力に基づき引っ張られる光源ユニット。
【請求項２】
前記複数の光源側係合部の各光源側係合部は、
前記相手部品と係合する弾性体である請求項１に記載の光源ユニット。
【請求項３】
前記複数の光源側係合部は、
前記相手部品の一部が挿し込まれ、弾性力を生じた前記相手部品と係合する開口が形成された受け具である請求項１に記載の光源ユニット。
【請求項４】
光源ユニットが着脱可能に取り付けられる照明器具において、
四角形をなす板状の器具板状本体部と、
前記器具板状本体部の四辺からそれぞれ斜めに立ち上がることで立ち上がりの端部によって前記器具板状本体部を拡大投影した形状の四角形の開口を形成するとともに、前記器具板状本体部の一方の面を囲う、前記四辺の辺ごとの傾斜部と、
前記器具板状本体部の前記一方の面に配置され、前記光源ユニットに配置された相手部品と係合する複数の器具側係合部と
を備え、
前記複数の器具側係合部は、
前記光源ユニットの取り付け完了前から取り付け完了にわたって、係合している前記相手部品を弾性力に基づき引っ張る照明器具。
【請求項５】
前記複数の器具側係合部は、
前記相手部品と係合する弾性体である請求項４に記載の照明器具。
【請求項６】
前記複数の器具側係合部は、
弾性力を生じる前記相手部品が挿し込まれ、弾性力の生じた前記相手部品と係合する開口が形成された受け具である請求項４に記載の照明器具。
【請求項７】
請求項１または請求項２に記載の光源ユニットと、請求項４または請求項６に記載の照明器具とを有する照明装置。
【請求項８】
請求項３に記載の光源ユニットと、請求項５に記載の照明器具とを有する照明装置。
【請求項９】
請求項７に記載の照明装置において、
前記光源ユニットは、
前記ユニット板状本体部が、前記照明器具の前記器具板状本体部と平行となるように、かつ、前記器具板状本体部が上となり、前記ユニット板状本体部が下となるような配置状態で前記照明器具に取り付けられ、
前記光源ユニットは、
前記配置状態で、上下方向に対する直角方向となる水平方向の大きさが、前記照明器具よりも大きい照明装置。
【発明の詳細な説明】
【技術分野】
【０００１】
本発明は、光源ユニット、照明器具及び照明装置に関するものである。
【背景技術】
【０００２】
光源ユニットを照明器具に着脱可能に取り付ける技術がある（例えば、特許文献１、２）。
【０００３】
光源ユニットの一方側を引っかけてから、他方側をバネで光源ユニットを引き上げる場合、光源ユニットが回動する際の透光性カバーの可動スペースが必要となっていた。そのため、例えば、照明器具が埋め込まれているときなどは、照明器具の大きさよりも光源ユニット（透光性カバー）を大きくしようとすると、光源ユニットを回動させるときに、透光性カバーが天井の埋め込み穴にあたってしまい、光源ユニットを回動させることができず、光源ユニットを外すことができなくなる恐れがあった（例えば特許文献１，２）。
【先行技術文献】
【特許文献】
【０００４】
【特許文献１】特開２０１２−２２６９５６号公報
【特許文献２】特開２０１４−７８４２６号公報
【発明の概要】
【発明が解決しようとする課題】
【０００５】
本発明は、光源ユニットを照明器具に対して正対した状態で取り付けできる構成を提供する。
【課題を解決するための手段】
【０００６】
この発明は、
照明器具に着脱可能に取り付けられる光源ユニットにおいて、
四角形をなす板状のユニット板状本体部と、
前記ユニット板状本体部の一方の面に配置される光源モジュールと、
前記一方の面の反対側の他方の面に配置され、前記照明器具に配置された相手部品と係合する複数の光源側係合部と
を備える。
【発明の効果】
【０００７】
本発明によれば、光源ユニットを照明器具に対して正対した状態で取り付けることができる構成を提供できる。
【図面の簡単な説明】
【０００８】
【図１】実施の形態１の図で、照明装置１００の斜視図。
【図２】実施の形態１の図で、器具板状本体部２１０、取付バネ２３０及び光源ユニット３００の斜視図。
【図３】実施の形態１の図で、器具板状本体部２１０に取付バネ２３０を配置した斜視図。
【図４】実施の形態１の図で、光源ユニット３００における電源３３０の取付面を示す斜視図。
【図５】実施の形態１の図で、取付バネ２３０の斜視図。
【図６】実施の形態１の図で、係合受部２５０の斜視図。
【図７】実施の形態１の図で、光源ユニット３００の照明器具２００への取り付け過程を説明するための断面図。
【図８】実施の形態１の図で、照明装置１００の断面図。
【図９】実施の形態１の図で、照明装置１００の意匠効果を示す図。
【発明を実施するための形態】
【０００９】
実施の形態１．
図１〜図９を用いて、本実施の形態の詳細を説明する。
【００１０】
＜＊＊＊構成の説明＊＊＊＞
図１に示すように、照明装置１００は、外郭形状がスクエア形の照明器具２００と、照明器具２００に取り付けられる光源ユニット３００とを備える。
【００１１】
（照明器具２００）
図２、図３に示すように、照明器具２００は、四角形状あるいは正方形状の器具板状本体部２１０と、器具板状本体部２１０の四辺のそれぞれから折り曲げられて形成される４つの縁部２２０と、器具板状本体部２１０に取り付けられる４つの取付バネ２３０と、同じく器具板状本体部２１０に取り付けられ、外部から引き込まれる電源線（図示しない）と電線２４１とコネクタ４００Ｍが取り付けられる電源端子台２４０と、を備える。
【００１２】
（縁部２２０）
図２、図７に示すように、４つの縁部２２０は、器具板状本体部２１０から斜め方向に立ち上がる傾斜部２２１と、傾斜部２２１の先端から器具板状本体部２１０に対して略垂直となるように折り曲げられて形成される立上部２２２を有する。
【００１３】
（取付バネ２３０）
４つの取付バネ２３０は、２つで一組の構成をなし、その一組づつが並列に配列されている。図３ではハイフンを付して取付バネ２３０を区別したが、図３に示すように、取付バネ２３０−１と取付バネ２３０−３とが一組、取付バネ２３０−２と取付バネ２３０−４とが別の一組となり、この組どうしが並列に配置されている。
【００１４】
（光源ユニット３００）
図２、図４に示すように、光源ユニット３００は、ユニット本体３１０、ＬＥＤ３２１が実装される光源モジュールであるＬＥＤモジュール３２０、電源３３０、透光性カバー３４０、係合受部３５０を備える。ＬＥＤモジュール３２０は、ユニット本体３１０に取り付けられる。電源３３０は、ＬＥＤモジュール３２０が取り付けられる面とは反対側の面のユニット本体３１０に取り付けられる。透光性カバー３４０は、ＬＥＤモジュール３２０を覆うようにユニット本体３１０に取り付けられる。４つの係合受部３５０は、ユニット本体３１０に取り付けられ、照明器具２００の取付バネ２３０とそれぞれ係合する。図４では４つの係合受部３５０を係合受部３５０−１〜係合受部３５０−４として区別した。係合受部３５０−１〜３５０−４は、それぞれ取付バネ２３０−１〜取付バネ２３０−４と係合する。
【００１５】
（取付バネ２３０）
図５に示すように、取付バネ２３０は器具板状本体部２１０に取り付けられる取付部２３１、円弧形状をなし、係合受部３５０の開口縁部３５１−１と係合する円弧形状部２３２、係合受部３５０の開口縁部３５１−１に引っ掛けられる先端部２３３を有する。
【００１６】
（係合受部３５０）
図６に示すように、係合受部３５０は、開口３５１が形成されており、取付バネ２３０の円弧形状部２３２が挿し込まれて、円弧形状部２３２が開口縁部３５１−１に対して摺動する。係合受部３５０は、受部側取付部３５２がネジによってユニット板状本体部３１１に形成された本体側取付部３１１ａに固定されることで、ユニット板状本体部３１１に固定される。
【００１７】
（ユニット本体３１０）
図４に示すように、ユニット本体３１０は、四角形状あるいは正方形状の板状のユニット板状本体部３１１と、ユニット板状本体部３１１の四辺から略垂直方向に折り曲げられる４つの枠部３１２とを備える。
【００１８】
（光源ユニット３００の照明器具２００への取付工程）
次に、図７、図８を参照して、光源ユニット３００を照明器具２００に取り付ける工程について説明する。図８に示すように、まず、作業者は、照明器具２００の取付バネ２３０の先端部２３３を、光源ユニット３００の係合受部３５０の開口縁部３５１−１に引っ掛ける。このとき、図８に示すように、光源ユニット３００が照明器具２００にぶら下がった仮止め状態とすることができる。
【００１９】
したがって、光源ユニット３００の仮止めの状態で、作業者は、照明器具２００に配置された電源端子台２４０から引き出されている電線のコネクタ４００Ｍと、光源ユニット３００の電源３３０から引き出されている電線のコネクタ４００Ｌとを接続することができる。よって、照明器具２００と光源ユニット３００との結線を容易に行うことができる。
【００２０】
次に、光源ユニット３００の仮止めの状態から光源ユニット３００を押し上げていくと、取付バネ２３０のバネ力の復元力によって、光源ユニット３００を照明器具２００側に引き上げることができ、また、光源ユニット３００を引き上げた状態を維持することができる。
【００２１】
照明器具２００では傾斜部２２１を有しているので、図９に示すように、照明装置１００を天井に取り付けた際、人が見上げた場合、照明器具２００が光源ユニット３００によって隠れるので照明装置１００の意匠性を向上させることができる。
【００２２】
＜＊＊＊効果の説明＊＊＊＞
このように、４つの取付バネ２３０及び係合受部３５０によって光源ユニット３００を照明器具２００に取り付ける。この場合、光源ユニット３００が照明器具２００に正対した状態で取付バネ２３０が開口縁部３５１−１を上下方向に摺動することで、光源ユニット３００が照明器具２００に取り付けられる。よって光源ユニット３００の枠部３１２の周囲には、光源ユニット３００が回動などを行うためのスペース確保の必要がなくなる効果がある。そのため、複数の照明器具１００を近接させて天井に取り付けることもでき、また、壁面に近い位置に取り付けることもできる。
【００２３】
実施の形態１で述べた４つの係合受部３５０は、相手部品である取付バネ２３０と係合する光源側係合部６００である。光源側係合部６００は複数であればよく、この実施の形態では４つの場合を示した。
【００２４】
以上の実施の形態１では、複数の係合受部３５０はユニット板状本体部３１１の一方の面に配置された。しかし、係合受部３５０と取付バネ２３０の配置を反対にし、つまり、複数の係合受部３５０を器具板状本体部２１０に配置し、取付バネ２３０をユニット板状本体部３１１に配置してもよい。
【００２５】
複数の取付バネ２３０の各々は係合受部３５０に対応するが、取付バネ２３０の個数についても係合受部３５０と同様であり、取付バネ２３０の個数と同じである。なお、取付バネ２３０は４つではなく、３つでもよく、少なくとも取付バネ２３０−１、２３０−３の１組が備えられていればよい。
【００２６】
以上のように、光源ユニット３００は、照明器具２００に着脱可能に取り付けられる。光源モジュールであるＬＥＤモジュール３２０は、ユニット板状本体部３１１の一方の面に配置される。また、光源側係合部６００である複数の係合受部３５０は、ユニット板状本体部３１１の一方の面の反対側の他方の面に配置されて照明器具２００に配置された相手部品である取付バネ２３０と係合する。
【００２７】
上記で述べたように、複数の光源側係合部６００は、照明器具２００に配置された相手部品である係合受部３５０と係合する弾性体である取付バネ２３０でもよい。
【００２８】
また、上記で述べたように、複数の光源側係合部６００は、相手部品である取付バネ２３０の一部が挿し込まれ、弾性力を生じた相手部品である取付バネ２３０と係合する開口３５１が形成された受け具である係合受部３５０としてもよい。
【００２９】
以上のように、照明器具２００は、四角形をなす板状の器具板状本体部２１０、傾斜部２２１、取付バネ２３０を備える。傾斜部２２１は、器具板状本体部２１０の四辺からそれぞれ斜めに立ち上がることで立ち上がりの端部によって器具板状本体部２１０を拡大投影した形状の四角形の開口を形成するとともに、器具板状本体部２１０の一方の面を囲う。取付バネ２３０は、器具板状本体部２１０の一方の面に配置され、光源ユニット３００に配置された相手部品である係合受部３５０と係合する複数の器具側係合部７００である。
【００３０】
本実施の形態に示したように、複数の器具側係合部７００は、光源ユニット３００に配置されて相手部品と係合する弾性体である取付バネ２３０でもよい。
【００３１】
複数の器具側係合部７００は、弾性力を生じる相手部品であり光源ユニット３００に配置された取付バネ２３０が挿し込まれ、弾性力の生じた取付バネ２３０と係合する開口３５１−１が形成された受け具である係合受部３５０でもよい。
【００３２】
図１、図８に示すように、実施の形態１の照明装置１００では、光源ユニット３００は、ユニット板状本体部３１１が、照明器具２００の器具板状本体部２１０と平行となるように、かつ、器具板状本体部２１０が上となり、ユニット板状本体部３１１が下となるような配置状態で照明器具２００に取り付けられる。そして光源ユニット３００は、上記配置状態で、上下方向に対する直角方向となる水平方向の大きさが、照明器具２００よりも大きい。
【符号の説明】
【００３３】
１００  照明装置、２００  照明器具、２１０  器具板状本体部、２２０  縁部、２２１  傾斜部、２２２  立上部、２３０  取付バネ、２４０  電源端子台、３００  光源ユニット、３１０  ユニット本体、３１１  ユニット板状本体部、３１２  枠部、３２０  ＬＥＤモジュール、３２１  ＬＥＤ、３３０  電源、３４０  透光性カバー、３５０  係合受部、４００Ｍ，４００Ｌ  コネクタ、６００  光源側係合部、７００  器具側係合部。
【図１】
0006501556.tif 000002
【図２】
0006501556.tif 000003
【図３】
0006501556.tif 000004
【図４】
0006501556.tif 000005
【図５】
0006501556.tif 000006
【図６】
0006501556.tif 000007
【図７】
0006501556.tif 000008
【図８】
0006501556.tif 000009
【図９】
0006501556.tif 000010